(57)【要約】      （修正有）【課題】回転タイプソケットに装着した直管蛍光管形ＬＥＤランプ又は直管蛍光管の落下を防止することができる簡単な構造の落下防止器具を提供する。【解決手段】回転タイプソケット２０に装着した直管蛍光管形ＬＥＤランプ３０の落下を防止する落下防止器具１０であって、回転タイプソケット２０に装着した直管蛍光灯形ＬＥＤランプの口金部を保持する保持部１１と、保持部１１から延びる一対のアーム部１２と、一対のアーム部１２から一対のアーム部１２を含む面と直交する方向に延びる一対の摘まみ部１３と、一対の摘まみ部１３から互いに反対方向に突設され、一対の摘まみ部１３を回転タイプソケット２０のランプピン挿入溝に挿入したときに、ランプピン挿入溝に連通した開口部２２の内周面に係止される一対の爪部とを備えている。【選択図】図１
2018129216.tif 000002
【特許請求の範囲】
【請求項１】
回転タイプソケットに装着した直管蛍光管形ＬＥＤランプ又は直管蛍光管の落下を防止する落下防止器具であって、
前記回転タイプソケットに装着した前記直管蛍光灯形ＬＥＤランプ又は直管蛍光ランプの口金部を保持する保持部と、
前記保持部から延びる一対のアーム部と、
前記一対のアーム部から前記一対のアーム部を含む面と直交する方向に延びる一対の摘まみ部と、
前記一対の摘まみ部から互いに反対方向に突設され、前記一対の摘まみ部を前記回転タイプソケットのランプピン挿入溝に挿入したときに、前記ランプピン挿入溝に連通した開口部の内周面に係止される一対の爪部と
を備えたことを特徴とする、落下防止器具。
【請求項２】
前記一対のアーム部から互いに反対方向に延び、前記一対の摘まみ部が延びる方向へ屈曲又は湾曲した一対の係合部を更に備え、
前記一対の係合部は、前記一対の摘まみ部を前記ランプピン挿入溝に挿入したときに、前記回転タイプソケットの筐体の外面又は前記口金部と係合して、互いに離間するように弾性変形する
ことを特徴とする、請求項１記載の落下防止器具。
【発明の詳細な説明】
【技術分野】
【０００１】
本発明は、落下防止器具に係り、より詳細には、回転タイプソケットに装着した直管蛍光管形ＬＥＤランプ又は直管蛍光管の落下を防止する落下防止器具に関する。
【背景技術】
【０００２】
従来の直管蛍光管形ＬＥＤランプの落下防止器具の一例が特許文献１に記載されている。この特許文献１に記載の落下防止器具は、略Ｕ字形状に形成された胴部と、胴部の先端に形成された楔状の係止部とを備え、係止部が反射板の挿入孔に挿入して係止され、胴部で直管蛍光管形ＬＥＤランプを保持する構成となっている。
【先行技術文献】
【特許文献】
【０００３】
【特許文献１】実用新案登録第３１６６９２７号公報
【発明の概要】
【発明が解決しようとする課題】
【０００４】
しかしながら、特許文献１に記載の落下防止器具は、係止部を挿入する挿入孔が、反射板に形成されていることが必要である。一方、従来の蛍光灯点灯装置には、そのような挿入孔は通常形成されていない。このため、かかる落下防止器具を取り付けるためには、反射板に挿入孔を穿孔する改造をする必要があった。
【０００５】
ところで、近年、直管蛍光管と同一形状を有する直管蛍光管形ＬＥＤランプが普及し、蛍光灯点灯装置のソケットに装着して使用されている。直管蛍光管形ＬＥＤには、直管蛍光管と同様に、両端の口金部にＧ１３等の規格の一対のランプピンがそれぞれ設けられているが、片側給電タイプの直管蛍光管形ＬＥＤランプでは、一方の口金部の一対のランプピンがダミーとなっている。その結果、一方の口金部がソケットに完全な状態で装着されていない場合であっても、直管蛍光管形ＬＥＤランプが点灯するため、直管蛍光管形ＬＥＤランプのソケットへの装着が不完全であることに気付かないことがある。装着が不完全な直管蛍光管形ＬＥＤランプは、地震の揺れによって落下する可能性がある。
【０００６】
また、蛍光灯点灯装置の回転タイプソケットに直管蛍光管形ＬＥＤランプを装着する場合、直管蛍光管と同様に、口金部の一対のランプピンをランプピン挿入溝に挿入し、軸線を中心に直管を９０°回転させる。しかし、直管蛍光管形ＬＥＤランプを装着する場合、９０°回転させずに、わざと９０°から少し角度を成した状態で装着して使用されることがある。これは、直管蛍光管が軸線に対して等方向の照度を有するに対して、直管蛍光管形ＬＥＤランプの照度が指向性を有するため、回転角度を調節することによって、照明範囲の照度分布を調整するものである。特に、逆富士形の反射板を備えた蛍光灯点灯装置に２本の直管蛍光管形ＬＥＤランプを装着する場合に、それぞれの回転角度が調節されることがある。
【０００７】
しかし、かかる使用方法は、回転タイプソケット本来の使い方ではない。そのうえ、一般の回転タイプソケットの内部には、一対の電極板が、一対のランプピンに両側から圧接するように付勢されて設けられているため、９０°から角度を成した状態では、一対のランプピンに電極板によって偶力が加わることになる。その結果、特に地震発生時に、直管蛍光管形ＬＥＤランプが回転して、一対のランプピンがランプピン挿入溝と平行となり、直管蛍光管形ＬＥＤランプが落下する可能性がある。
【０００８】
本発明は、上記の事情に鑑みてなされたものであり、回転タイプソケットに装着した直管蛍光管形ＬＥＤランプ又は直管蛍光管の落下を防止する簡単な構成の落下防止器具を提供することを目的としている。
【課題を解決するための手段】
【０００９】
本発明の落下防止器具は、回転タイプソケットに装着した直管蛍光管形ＬＥＤランプ又は直管蛍光管の落下を防止する落下防止器具であって、前記回転タイプソケットに装着した前記直管蛍光灯形ＬＥＤランプ又は直管蛍光ランプの口金部を保持する保持部と、前記保持部から延びる一対のアーム部と、前記一対のアーム部から前記一対のアーム部を含む面と直交する方向に延びる一対の摘まみ部と、前記一対の摘まみ部から互いに反対方向に突設され、前記一対の摘まみ部を前記回転タイプソケットのランプピン挿入溝に挿入したときに、前記ランプピン挿入溝に連通した開口部の内周面に係止される一対の爪部とを備えたことを特徴としている。
【００１０】
このように、本発明の落下防止器具によれば、一対の爪部が回転タイプソケットの開口部の内周面に係止され、保持部が直管蛍光灯形ＬＥＤランプ又は直管蛍光ランプの口金部を保持するので、簡単な構成で、回転タイプソケットに装着した直管蛍光灯形ＬＥＤランプ又は直管蛍光ランプの落下を防止することができる。
また、本発明の落下防止器具は、回転タイプソケットの形状を利用して、回転タイプソケット係止されるため、蛍光灯点灯器具を改造する必要が無い。
【００１１】
また、本発明において好ましくは、前記一対のアーム部から互いに反対方向に延び、前記一対の摘まみ部が延びる方向へ屈曲又は湾曲した一対の係合部を更に備え、前記一対の係合部は、前記一対の摘まみ部を前記ランプピン挿入溝に挿入したときに、前記回転タイプソケットの筐体の外面又は前記口金部と係合して互いに離間するように弾性変形するのがよい。
【００１２】
これにより、一対の摘まみ部をランプピン挿入溝に挿入したときに、一対の係合部が、回転タイプソケットの外面又は前記口金部と係合して互いに離間するように弾性変形する結果、一対の摘まみ部が「ハ」の字のように開き、一対の爪部同士が離間する。このため、一対の摘まみ部が、ランプピン挿入溝の両側に押しつけられ、爪部がより確実に係止され、より確実な落下防止を図ることができる。
【発明の効果】
【００１３】
本発明の落下防止器具によれば、回転タイプソケットに装着した直管蛍光管形ＬＥＤランプ又は直管蛍光管の落下を簡単な構成で防止することができる。
【図面の簡単な説明】
【００１４】
【図１】回転タイプソケットに装着した直管蛍光管形ＬＥＤランプに取り付けた本発明の実施形態による落下防止器具の斜視図である。
【図２】（ａ）は、回転タイプソケットの正面図であり、（ｂ）は、本発明の実施形態による落下防止器具を装着した回転タイプソケットの正面図である。
【図３】（ａ）は、本発明の実施形態による落下防止装置の斜視図であり、（ｂ）は、本発明の実施形態による落下防止装置の正面図である。
【図４】（ａ）は、本発明の実施形態による落下防止装置の側面図であり、（ｂ）は、本発明の実施形態による落下防止装置の下面図である。
【発明を実施するための形態】
【００１５】
以下、図面を参照して本発明の落下防止装置の実施形態を説明する。
まず、図１に、Ｇ１３口金用の回転タイプソケット２０に装着した直管蛍光管形ＬＥＤランプ３０に取り付けた本実施形態の落下防止器具１０を示す。同図に示すように、落下防止器具１０は、回転タイプソケット２０に装着した直管蛍光灯形ＬＥＤランプ３０の口金部３１を保持する保持部１１と、保持部１１から延びる一対のアーム部１２と、一対のアーム部１２から一対のアーム部１２を含む面と直交する方向に延びる一対の摘まみ部１３とを備え、この一対の摘まみ部１３が、回転タイプソケット２０の筐体２１に形成されたランプピン挿入溝２２に挿入されている。
【００１６】
ここで、図２（ａ）に、回転タイプソケット２０を示す。同図に示す様に、回転タイプソケット２０には、筐体２１の一部にランプピン挿入溝２２が形成され、このランプピン挿入溝２２に連通する円形凹部の開口部２３が形成されている。ただし、同図では、開口部２３の内部に配置されている回転子や電極の図示を省略する。
【００１７】
続いて、図２（ｂ）に、回転タイプソケット２０に装着した直管蛍光管形ＬＥＤランプ３０に落下防止器具１０を取り付けた様子を示す。ただし、同図では、図面の理解を容易にするため、直管蛍光管形ＬＥＤランプ３０の図示を省略し、また、落下防止器具１０に、断面ではないがハッチングを付している。
【００１８】
ランプピン挿入溝２２に挿入された一対の摘まみ部１３の先端には、互いに反対方向に突設された一対の爪部１４が形成されている。図２（ｂ）に示すように、一対の爪部１４は、ランプピン挿入溝２２の両側で、ランプピン挿入溝２２に連通した開口部２３の内周面２１ａによって係止される。
【００１９】
このように、落下防止器具１０が、一対の爪部１３で回転タイプソケット２０の開口部２３の内周面２１ａに係止され、かつ、保持部１１が直管蛍光灯形ＬＥＤランプ３０の口金部３１を保持するので、簡単な構成で、回転タイプソケット２０に装着した直管蛍光灯形ＬＥＤランプ３０の落下を防止することができる。
【００２０】
また、本落下防止器具を装着したときに、保持部１１が、直管蛍光灯形ＬＥＤランプ３０の口金の段差部に当接し、かつ、一対の摘まみ部１３がランプピン挿入溝２２の底部（図２（ａ）におけるランプピン挿入溝２２の正面部分）に当接するようにすれば、本落下防止器具がランプの軸線方向にずれないため、より確実な落下防止を図ることができる。
【００２１】
図３及び図４を参照して、落下防止器具１０の構造を詳細に説明する。
本落下防止器具１０の各部は、ポリプロピレン樹脂で一体形成され、弾性変形することができる。
【００２２】
保持部１１は、直管蛍光灯形ＬＥＤランプ３０の口金部３１と係合するように半円の円弧状に湾曲している。また、一対のアーム部１２は、保持部１１の中央付近から、保持部１１の両端の延在方向及び湾曲方向と直交する方向に平行に延びている。また、一対の摘まみ部１３は、互いに平行な平板形状を有し、平板形状の一端が、保持部１１の両端の湾曲した方向へ延びている。
【００２３】
また、好ましくは、落下防止器具１０を装着したときに、保持部１１の湾曲又は屈曲の両端が、直管蛍光灯形ＬＥＤランプ３０の口金３１の段差部に当接するようにすれば、落下防止器具１０全体が、回転摘まみ部１３の平板形状と平行な面内で、一対の爪部１４付近を中心にして回転することが阻止される。換言すれば、本落下防止器具１０の保持部１１側が浮き上がることが阻止される。その結果、より確実な落下防止を図ることができる。
【００２４】
さらに、落下防止器具１０は、一対のアーム部１２から互いに反対方向に延び、一対の摘まみ部１３が延びる方向へ湾曲した一対の係合部１５を備えている。一対の係合部１５は、一対の保持部１１と平行となるように、半円の円弧状に湾曲している。一対の係合部１５の湾曲の曲率は、直管蛍光灯形ＬＥＤランプ３０の口金３１の曲率よりも少し大きくなっている。
【００２５】
一対の摘まみ部１３をランプピン挿入溝２２に挿入して、落下防止器具１０を取り付けると、一対の係合部１５は、口金部３１と係合し、図３（ｂ）に矢印ａで示すように、両端が互いに離間して湾曲が開くように弾性変形する。その結果、一対の係合部１５と一対のアーム部１２を介して一体となっている一対の摘まみ部も「ハ」の字のように開き、一対の摘まみ部１３の先端が、図３（ｂ）に矢印ｂで示すように、互いに離間する方向に変形する。これにより、一対の摘まみ部１３の先端に形成された一対の爪部１４が、より確実に開口部２３の内側面２１ａに係止され、より確実に脱落が防止されることになる。
【００２６】
また、本落下防止器具１０を取り外す場合には、一対の摘まみ部１３を手指で摘まむことにより、一対の摘まみ部１３を互いに接近させ、一対の爪部１４の係止を外すことができる。このように、本落下防止器具１０は、蛍光灯点灯装置に追加工事を行うことなく、簡単に着脱することができる。
【００２７】
以上、本発明の実施形態を説明したが、本発明は、上述した実施形態に限定されるものではなく、本発明の範囲で種々の変更実施が可能である。上述した実施形態では、回転タイプソケットに装着された直管蛍光管形ＬＥＤランプの落下を防止する例を説明したが、本発明の落下防止器具は、回転タイプソケットに装着された直管蛍光管の落下を防止するために使用することもできる。
【００２８】
また、叙述した実施形態では、保持部の形状を半円の円弧状としたが、保持部の形状は、口金部を保持することができるものであれば、これに限定されず、例えば、平板形状であってもよいし、口金部側へ向かって屈曲した形状であってもよい。
【００２９】
また、上述した実施形形態では、一対の係合部を直管蛍光管形ＬＥＤランプの口金部と係合させた例を説明したが、本発明では、一対の係合部を、回転タイプソケットの筐体の外面と係合させてもよい。
【００３０】
また、上述した実施形態では、一対の係合部を湾曲させているが、一対の係合部を屈曲させてもよい。その場合も、一対の摘まみ部をランプピン挿入溝に挿入したときに、一対の係合部の両端が互いに離間して湾曲が開くように弾性変形するとよい。
【符号の説明】
【００３１】
１０  落下防止器具
１１  保持部
１２  アーム部
１３  摘まみ部
１４  爪部
１５  係合部
２０  回転タイプソケット
２１  筐体
２１ａ  内周面
２２  ランプピン挿入溝
２３  開口部
３０  直管蛍光管形ＬＥＤランプ
【図１】
2018129216.tif 000003
【図２】
2018129216.tif 000004
【図３】
2018129216.tif 000005
【図４】
2018129216.tif 000006